(57)【特許請求の範囲】
【請求項１】
アクリル樹脂系塗料と，２〜８ｗｔ％の蛍光増白剤と，１０〜６０ｗｔ％の紫外線吸収剤とを有する低誘虫性樹脂が、透光性基材に塗布され、
前記紫外線吸収剤によって波長４０５ｎｍに近い波長領域の紫外線を吸収させ、吸収し足りない波長３９０ｎｍ〜４０５ｎｍの付近の波長領域の紫外線を前記蛍光増白剤によって吸収させ、波長３００〜３９５ｎｍの光を略１００％カットし、波長４０５ｎｍ以上の光の平均透過率を５０％以上とし、
かつ、前記蛍光増白剤を、紫外線吸収剤を含むアクリル樹脂でカプセリングした低誘虫性基材。
【請求項２】
請求項１に記載の低誘虫性基材において、
前記アクリル樹脂系塗料のガラス転移温度が、７０℃以上である低誘虫性基材。
【請求項３】
請求項１または請求項２に記載の低誘虫性基材を、透光性基板に配置してなる光学部材を有する照明器具。
【請求項４】
請求項３に記載の照明器具において、
前記光学部材に紫外線吸収層を積層した照明器具。
【発明の詳細な説明】
【技術分野】
【０００１】
本発明は、低誘虫性基材および低誘虫性基材を用いた照明器具に関する。
【背景技術】
【０００２】
従来から、透光性バインダ等に無機系微粉末や有機系紫外線吸収剤を混合して得られる塗料を塗装した基材で照明器具のカバー等を作製することによって、光源から出る紫外線をカットし、照明器具へ虫が誘引されることを抑制する技術が知られている。この場合、照明器具としての機能に影響を与えることなく、虫の誘引を十分に抑制するためには、低誘虫性基材の塗膜として、黄味がない、３００〜４０５ｎｍの波長域の紫外線光の大部分をカットする、耐久性・耐候性に優れる、可視光域（特に波長５５５ｎｍ付近）の光の透過率が高い等の条件が要求される。
【０００３】
従来、上記のような塗膜を形成する塗料として、ベンゾフェノン系紫外線吸収剤を含む窓ガラス用塗料が提案されている（例えば、特許文献１参照）。
また、ヒンダードアミン系光安定基を有するアクリル樹脂、シランカップリング剤、そして無黄変タイプのポリイソシアネートを配合した超耐候性塗料組成物が提案されている（例えば、特許文献２参照）。
また、蛍光増白剤を含有した紫外線吸収フィルム、または蛍光増白剤とバインダーを含有するものをフィルムに塗布して紫外線を吸収するフィルム材が提案されている（例えば、特許文献３参照）。
【先行技術文献】
【特許文献】
【０００４】
【特許文献１】特開昭６１−１３８６６４号公報（２頁右上欄）
【特許文献２】特許第３５１６８３３号公報（請求項１、段落０００５）
【特許文献３】特許第３９５６００７号公報（請求項１、段落０００８）
【発明の概要】
【発明が解決しようとする課題】
【０００５】
しかし、従来の特許文献１の技術においては、ベンゾンフェノン系紫外線吸収剤を含有させるだけでは、長波長紫外線の吸収能が不足し、また耐久性や耐光性が十分に得られず、また紫外線吸収剤のブリードアウトにより紫外線の吸収能が低下してしまうという問題があった。
【０００６】
また、特許文献２の技術においては、樹脂と紫外線吸収剤とを共重合させ、樹脂骨格に紫外線吸収基を組み込んだ紫外線吸収樹脂を用いることも考えられるが、これは紫外線吸収剤のブリードアウトを防止することはできるものの、樹脂中に組み込める紫外線吸収基の量が制限されてしまうために、特に波長３７０〜４０５ｎｍ程度の長波長紫外線に対する十分な吸収能を付することは困難である。
【０００７】
また、特許文献３の技術においては、アクリル樹脂と、０．０１〜１ｗｔ％の蛍光増白剤と、０．０１〜１ｗｔ％の紫外線吸収剤と、を含む紫外線吸収フィルムが開示されているが、この技術では、常態での低誘虫性は発揮できるもの、長期的な熱履歴の下では十分な低誘虫性を発揮できない虞があった。また、比較的短期間で、耐候劣化により、黄変したり、ブリードや蛍光増白剤自体が劣化し、紫外線吸収能が低下してしまう虞があった。
【０００８】
本発明は、前述した課題を解決するためになされたものであり、比較的薄膜で、紫外線の吸収能を向上できるとともに、耐久性・耐候性の高い低誘虫性基材および低誘虫性基材を用いた照明器具を提供することにある。
【課題を解決するための手段】
【０００９】
本発明の低誘虫性基材は、アクリル樹脂系塗料と，２〜８ｗｔ％の蛍光増白剤と，１０〜６０ｗｔ％の紫外線吸収剤とを有する低誘虫性樹脂が、透光性基材に塗布され、前記紫外線吸収剤によって波長４０５ｎｍに近い波長領域の紫外線を吸収させ、吸収し足りない波長３９０ｎｍ〜４０５ｎｍの付近の波長領域の紫外線を前記蛍光増白剤によって吸収させ、波長３００〜３９５ｎｍの光を略１００％カットし、波長４０５ｎｍ以上の光の平均透過率を５０％以上とし、かつ、前記蛍光増白剤を、紫外線吸収剤を含むアクリル樹脂でカプセリングした。
【００１０】
ここで、アクリル樹脂系塗料のガラス転移温度を、７０℃以上とする。
【００１２】
本発明の照明器具は、低誘虫性基材を、透光性基板に配置してなる光学部材を有する。
【００１３】
ここで、光学部材に紫外線吸収層を積層する。
【発明の効果】
【００１４】
本発明によれば、比較的薄膜で、紫外線の吸収能を向上できるとともに、耐久性・耐候性を向上できる。
【図面の簡単な説明】
【００１５】
【図１】本発明に係る実施形態の低誘虫性基材の実施例を示す図
【図２】評価装置を示す図
【図３】評価装置の粘着トラップを示す図
【図４】実施例の低誘虫性基材の評価結果を示す図
【発明を実施するための形態】
【００１６】
以下、本発明に係る実施形態の低誘虫性基材および低誘虫性基材を用いた照明器具について、図面を参照して説明する。
【００１７】
（実施例１）
図１に示すように、透光性樹脂、紫外線吸収剤（トルエンにて希釈し５０％品を添加）、蛍光増白剤（トルエンにて希釈し５％品を添加）を添加し、スプレー塗装にてアクリル板（厚さ２ｍｍ）に送風定温乾燥機内において８０℃で２０分間熱処理を施すことで、９種類の塗膜状の低誘虫性基材（Ｎｏ１〜９）を形成した。図１には、従来例の低誘虫性基材も示す（Ｎｏ１，２）。
【００１８】
Ｎｏ９の低誘虫性基材は、上記のスプレー塗装したアクリル板（厚さ２ｍｍ）を２００度で数十秒暖め、約２倍に延伸してスプレー塗装したアクリル板（延伸後の厚さ約０．８ｍｍ）とした。
【００１９】
図１の実施例Ｎｏ１〜９における上記低誘中性基材は、アクリル樹脂、アルキド樹脂、ポリカーボネート樹脂、ポリウレタン樹脂、エポキシ樹脂、メラミン樹脂、ジエチレングリコールビスアリルカーボネート樹脂、アクリロニトリルースチレン共重合体、メチルメタクリレート−スチレン共重合体オレフィン樹脂、およびこれらを主成分とするアロイ材料から選ばれる少なくとも一種の樹脂であることが好ましい。これらの樹脂は、透光性が高いため、特に照明器具に好適に用いられるものである。
【００２０】
透光性樹脂としては、適宜のものが用いられるが、特にアクリル樹脂（イソシアネート硬化性アクリル樹脂を含む）、アルキド樹脂、ポリカーボネート樹脂、ポリウレタン樹脂、エポキシ樹脂、メラミン樹脂、アクリロニトリル‐スチレン共重合体、メチルメタクリレート−スチレン共重合体およびこれらを主成分とするアロイ材料等を用いるのが好ましい。このうち、一種または二種以上の樹脂を用いることができる。
【００２１】
また、紫外線吸収剤としては、ベンゾトリアルゾール系化合物、ヒドロキシフェニルトリアジン系化合物、トリスレゾルシノールトリアジン系化合物が挙げられる。
【００２２】
ベンゾトリアルゾール系化合物としては２−（２Ｈ―ベンゾトリアゾール−２−イル）−４，６−ジ−ｔ−ペンチルフェノール（例えば、チバ・スペシャルティ・ケミカル社製の商品名「チヌビン３２８」）、２−（２Ｈ−ベンゾトリアゾール−２−イル）−４，６−ビス（１−メチル−１−フェニルエチル）フェノール、α−［３−［３−（２Ｈ−ベンゾトリアルゾール−２−イル）−５−（１，１−ジメチルエチル）−４−ヒドロキシフェニル］−１−オキソプロピル］―ω―ヒドロキシポリ（オキソ−１，２−エタンジイル）（例えば、チバ・スペシャルティ・ケミカル社製の商品名「チヌビン１１３０」）等が挙げられる。
【００２３】
また、ベンゾトリアゾール系化合物としては、クロル基を有するものも挙げられる。このようなクロル基を有するベンゾトリアゾール系化合物としては、具体的には、オクチル−３−［３−ｔ−ブチル−４−ヒドロキシ５−（５−クロロ−２Ｈ−ベンゾトリアゾール−２−イル）フェニル］プロピオネート（例えば、チバ・スペシャルティ・ケミカル社製の商品名「チヌビン１０９」）、２−［５−クロロ（２Ｈ）−ベンゾトリアゾール−２−イル］−４−メチル−６−（ｔ−ブチル）フェノール（例えば、チバ・スペシャルティ・ケミカル社製の商品名「チヌビン３２６」）、２，４−ジ−ｔ−ブチル−６−（５−クロロベンゾトリアゾール−２−イル）フェノール（例えばチバ・スペシャルティ・ケミカル社製の商品名「チヌビン３２７」）等が挙げられる。
【００２４】
また、ヒドロキシフェニルトリアジン系化合物としては、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２−［４−［（２−ヒドロキシ−３−トリデシルオキシプロピル）オキシ］−２−ヒドロキシフェニル］−４６−ビス（４，６−ビス（２，４−ジメチルフェニル）−１，３，５−トリアジン、２，４−ビス（２，４−ジメチルフェニル）−６−（２−ヒドロキシ−４−イソ−オクチルフェニル−ｓ−トリアジン等を挙げることができる。
【００２５】
市販品としては、チバ・スペシャルティ・ケミカル社製の商品名「チヌビン４００」（２−［４−［（２−ヒドロキシ−３−ドデシルオキシプロピル）オキシ］−２−ヒドロキシフェニル］−４，６−ビス（４，６−ビス（２，４−ジメチルフェニル）−１，３，５−トリアジンと、２−［４−［（２−ヒドロキシ−３−トリデシルオキシプロピル）オキシ］−２−ヒドロキシフェニル］−４，６−ビス（４，６−ビス（２，４−ジメチルフェニル）−１，３，５−トリアジンとの混合物）、「チヌビン４１１Ｌ」（２，４−ビス（２，４−ジメチルフェニル）−６−（２−ヒドロキシ−４−イソ−オクチルフェニル）−ｓ−トリアジン）等を挙げることができる。
【００２６】
また、トリスレゾルシノールトリアジン系化合物としては、イソオクチル置換トリスレゾルシノールトリアジン（例えばチバ・スペシャルティ・ケミカル社製の商品名「ＣＧＬ７７７」）、ｔ−ブチル置換トリスレゾルシノールトリアジン、クミル置換トリスレゾルシノールトリアジン等を挙げることができる。
【００２７】
その中でも特に長波長側に吸収ピーク（３３０〜４００ｎｍ付近）のあるチヌビン３２６、３２７、１０９等が望ましく、相溶性の観点から液状のチヌビン１０９等が望ましい。また、短波長側（２８０〜３３０ｎｍ）の吸収が不十分な場合には、短波長側を吸収する紫外線吸収剤と組み合わせてもよい。一般的に照明器具は、熱・光が多く出るため、熱・光で変化が少ない、耐熱性および耐候性が高いものが望ましい。
【００２８】
また、塗料組成物中には、上記のような成分のほかに、必要に応じて顔料やその他の添加剤を含有させることもでき、例えばシリカ粉、セラミック粉、金属粉、有機色素、無機顔料、蛍光色素、光安定剤、酸化防止剤、チクソトロピー剤、レベリング剤、消泡剤、ハジキ防止剤等を含有させることができる。
【００２９】
塗装方法は、スプレー、Ｄｉｐ、スクリーン等と特に限定されるものではない。異形な形のものに塗布する場合には、比較的安易に塗布が可能な方法としてはスプレー塗装が挙げられる。
【００３０】
アクリル樹脂で蛍光増白剤をカプセリングする場合には、紫外線吸収官能基を持つアクリルポリマー、乳化剤、蛍光増白剤を入れ、乳化重合させてカプセルする方法があげられるが、特に限定するものではない。
【００３１】
＜昆虫の誘虫性評価＞
図２は、評価装置１５を示す。この評価装置１５は、照明器具１０として１３Ｗコンパクト型蛍光灯（パナソニック株式会社製）を、図１のＮｏ１〜９の誘虫性基材で形成したドーム状のグローブ１３によって覆うことによって、各波長の光のカット率や透過率を調整した照明器具１２に、図３に示すように、表面に粘着剤を塗布した５０ｍｍ×３００ｍｍの粘着トラップ１４を取り付けたものである。図２中の符号１１は、ポールである。
【００３２】
＜評価方法・条件＞
（１）昆虫の誘虫性評価
上記評価装置１５を、１０ｍ四方の部屋の中に配置するとともに、この部屋の中に、ハエ、コナガの二種類の虫をそれぞれ入れ、照明器具１０のランプを発光させて１時間放置した。そして、粘着トラップ１４に捕集された虫の数を数え、比較例（従来例Ｎｏ．１）によって捕集された虫の数を１００とし、これを基準として評価を行った。
【００３３】
（２）耐候試験１
耐候試験は、７５℃の温度環境で、水銀灯（４００Ｗ：パナソニック株式会社製）を照射し、外観目視にて評価を行った。試験期間は、１０日と３０日である。
【００３４】
図４の耐候性の欄は、耐候試験１の試験結果を示す。なお、図４中の耐候性の欄中の○、△、×は、次の評価内容を表す。
○：著しい変化なし
△：外観目視で薄っすら変色が確認出来る（黄色、茶褐色）、または、部分的にクラック、ブリードアウトが発生
×：外観目視で変色が完全に確認出来る（黄色、茶褐色）、または、クラック、ブリードアウトが発生
【００３５】
（３）透過率
分光光度計Ｕ４１００（積分球付、株式会社日立ハイテクノロジーズ製）で透過率を測定した。図４の透過率の欄には、波長３６５ｎｍの紫外線における透過率の評価結果を示す。図４中の透過率の欄中の○、△、×は、次の評価内容を表す。
×：３％以上
△：１％〜３％未満
○：１％以下
【００３６】
図１および図４から、低誘虫性基材として、アクリル樹脂系塗料と、２〜８ｗｔ％の蛍光増白剤と、１０〜６０ｗｔ％の紫外線吸収剤と、を含ませるのが好ましいと判断される。この低誘虫性基材は、波長３００〜３９５ｎｍの光を略１００％カットし、波長４０５ｎｍの光の透過率を略５０％にできる。また、この低誘虫性基材は、厳しい熱履歴を受けた後でも、十分な低誘虫性を維持できる。
【００３７】
更に、上記低誘虫性基材は、アクリル樹脂系塗料のガラス転移温度が７０℃以上であるのが好ましい。この場合、蛍光増白剤や紫外線吸収剤のブリードアウトを抑制できる。
【００３８】
また、上記低誘虫性基材は、蛍光増白剤を、紫外線吸収剤の含むアクリル樹脂でカプセリングするのが好ましい。この場合は、蛍光増白剤自体の紫外線劣化を低減できる。
【００３９】
また、上記の低誘虫性基材を透光性基板に塗布することにより、照明器具を製造できる。この照明器具は、長期にわたって熱・光の影響を受ける照明器具において、長期的な紫外線カットを実現できる。
【００４０】
この照明器具には、更に紫外線吸収層を積層した光学部材を備えるのが好ましい。この場合は、紫外線吸収剤で蛍光増白剤に届くまでのエネルギーの高い短波長光をカットすることによって、蛍光増白剤自体の紫外線劣化を低減できる。
【００４１】
このように、本発明は、紫外線吸収剤によってできる限り波長４０５ｎｍに近い領域の紫外線を吸収させ、蛍光増白剤で、それでも吸収し足りない波長３９０〜４０５ｎｍ付近の紫外線を吸収させるものである。これにより、低誘虫基材の膜厚をそれほど厚くすることなく、４０５ｎｍ以下の波長域の紫外線の大部分をカットすることが可能となる。また、歩留まりの低下防止、厚膜、工数アップによるコストアップも抑えつつ、耐久性のある低誘虫性基材および低誘虫性基材を用いた照明器具を提供できる。
【符号の説明】
【００４２】
１０  照明器具
１１  ポール
１２  照明器具
１３  グローブ
１４  粘着トラップ
１５  評価装置
【図１】
0005789746.tif 000002
【図２】
0005789746.tif 000003
【図３】
0005789746.tif 000004
【図４】
0005789746.tif 000005